(57)【要約】【課題】小型化および低コスト化が可能な携帯機器を提供する。【解決手段】携帯電話機１は、第１の筐体２と、第１の筐体２内に収納される第１の基板１０１と、第１の筐体２に回動可能に取付けられた第２の筐体３と、第２の筐体３内に収納される第２の基板１５１と、第１の基板１０１と第２の基板１５１とを接続する第１のフレキシブルプリント基板３０１と、第１の筐体２に設けられたカメラ部２１と、第１のフレキシブルプリント基板３０１とカメラ部２１とを接続する第２のフレキシブルプリント基板とを備える。【選択図】        図１２
2004153670.tif 000002
【特許請求の範囲】
【請求項１】
第１の筐体と、
その第１の筐体内に収納される第１の基板と、
前記第１の筐体に回動可能に取付けられた第２の筐体と、
その第２の筐体内に収納される第２の基板と、
前記第１の基板と前記第２の基板とを接続する第１のフレキシブルプリント基板と、
前記第１の筐体に設けられたカメラ部と、
前記第１のフレキシブルプリント基板と前記カメラ部とを接続する第２のフレキシブルプリント基板とを備えた、携帯機器。
【請求項２】
前記第１と第２のフレキシブルプリント基板は、
前記第１の基板と前記第２の基板とを接続する第１の配線と、
前記第１の基板と前記カメラ部とを接続する第２の配線と、
前記第２の基板と前記カメラ部とを接続する第３の配線と、
前記第１の基板と前記第２の基板と前記カメラ部とを接続する第４の配線とを含む、請求項１に記載の携帯機器。
【請求項３】
前記第１のフレキシブルプリント基板に設けられて前記第１の基板に接続される第１の接続部と、前記第１のフレキシブルプリント基板に設けられて前記第２の基板に接続される第２の接続部とをさらに備えた、請求項１または２に記載の携帯機器。
【請求項４】
前記第１のフレキシブルプリント基板は、前記第１の筐体と前記第２の筐体との接続部分を通過し、
前記第１のフレキシブルプリント基板は、前記第１の基板と前記第２の基板とを接続する第１部分と第２部分とを含み、
前記第１部分と前記第２部分とは、配線が形成される第１の主表面と、配線が形成されない第２の主表面とを有し、
前記第１部分の前記第２の主表面と前記第２部分の前記第２の主表面とが互いに向かい合って接触するように前記第１部分と前記第２部分とが前記携帯機器内に配置される、請求項１から３のいずれか１項に記載の携帯機器。
【請求項５】
前記カメラ部は前記第２のフレキシブルプリント基板に直接実装される、請求項１から４のいずれか１項に記載の携帯機器。
【請求項６】
前記第１と第２のフレキシブルプリント基板は、同一の絶縁性フィルムを含む、請求項１から５のいずれか１項に記載の携帯機器。
【発明の詳細な説明】
【０００１】
【発明の属する技術分野】
この発明は、携帯機器に関し、より特定的には、撮影機能を備え、撮影により得られた画像を表示する機能を有する携帯機器に関する。
【０００２】
【背景となる技術】
近年、携帯電話機が広く普及しているが、その形状としては、ストレートタイプ、フリップタイプ、クラムシェルタイプの３種類に大きく分類される。中でもクラムシェルタイプは折畳むことによる小型化ができるため、他の２つのタイプよりニーズが高い。クラムシェルタイプの携帯電話機は、たとえば特開２００１−４５１２３号公報に開示されている（特許文献１参照）。
【０００３】
クラムシェルタイプの携帯電話機において、近年撮影手段としてのカメラ部が設けられたものが販売されている。このような携帯電話機では、カメラ部が撮影した映像は、携帯電話機内の基板上の回路で処理されて、たとえば基板上の記憶手段に記憶される。
【０００４】
【特許文献１】
特開２００１−４５１２３号公報
【０００５】
【発明が解決しようとする課題】
近年、携帯電話機の低コスト化が求められている。しかしながら、従来のカメラ部が設けられた携帯電話機では、そのカメラ部が撮影したデータに関する信号をやり取りするための配線およびコネクタ類が多く設けられる必要があり、低コスト化が困難であった。そこで、この発明は上述のような問題点を解決するためになされたものであり、小型化および低コスト化が可能な携帯機器を提供することを目的とする。
【０００６】
【課題を解決するための手段】
この発明に従った携帯機器は、第１の筐体と、その第１の筐体内に収納される第１の基板と、第１の筐体に回動可能に取付けられた第２の筐体と、第２の筐体内に収納される第２の基板と、第１の基板と第２の基板とを接続する第１のフレキシブルプリント基板と、第１の筐体に設けられたカメラ部と、第１のフレキシブルプリント基板とカメラ部とを接続する第２のフレキシブルプリント基板とを備える。
【０００７】
このように構成された携帯機器では、カメラ部は、第２のフレキシブルプリント基板により第１のフレキシブルプリント基板と接続される。この第１のフレキシブルプリント基板は、第１の筐体内に収納される第１の基板と、第２の筐体内に収納される第２の基板とを接続するため、カメラ部で得られたデータは、第１および第２のフレキシブルプリント基板を経由して第１の基板および第２の基板に直接入力することができる。その結果カメラ部で得られた情報を伝達するための配線およびコネクタ類を減少させることができ、携帯機器の小型化および低コスト化を実現することができる。
【０００８】
カメラ部をコントロールするための信号を、第１の基板から第１のフレキシブルプリント基板および第２のフレキシブルプリント基板を介して直接カメラへ伝えることができる。また、カメラをコントロールするための信号を、第２の基板から第１および第２のフレキシブルプリント基板を介して直接カメラ部に伝達することができる。これにより、カメラ部の専用のコネクタを減らすことができるとともに、第１の基板と第１のフレキシブルプリント基板とを接続するコネクタのピンの数を減らすことができる。
【０００９】
また好ましくは、第１と第２のフレキシブルプリント基板は、第１の基板と第２の基板とを接続する第１の配線と、第１の基板とカメラ部とを接続する第２の配線と、第２の基板とカメラ部とを接続する第３の配線と、第１の基板と第２の基板とカメラ部とを接続する第４の配線とを含む。この場合、第２の配線が第１の基板とカメラ部とを接続し、第３の配線が第２の基板とカメラ部とを接続するため、カメラ部で得られた情報は、第２の配線を介して第１の基板へ伝達され、第３の配線を介して第２の基板に接続される。その結果カメラ部から第１および第２の基板へ情報を伝達する経路においてコネクタなどの部品の点数を減らすことができ、携帯機器の小型化および低コスト化に寄与することができる。
【００１０】
また好ましくは、携帯機器は、第１のフレキシブルプリント基板に設けられて第１の基板に接続される第１のコネクタと、第１のフレキシブルプリント基板に設けられて第２の基板に接続される第２のコネクタとをさらに備える。この場合、第１のコネクタおよび第２のコネクタを用いることで、第１のフレキシブルプリント基板の一部を第１の基板に確実に接続でき、第１のフレキシブルプリント基板の他の部分を第２の基板に確実に接続することができる。
【００１１】
また好ましくは、第１のフレキシブルプリント基板は、第１の筐体と第２の筐体との接続部分を通過する。第１のフレキシブルプリント基板は、第１の基板と第２の基板とを接続する第１部分と第２部分とを含む。第１部分と第２部分とは配線が形成される第１の主表面と、配線が形成されない第２の主表面とを有する。第１部分の第２の主表面と第２部分の第２の主表面とが互いに向かい合って接触するように第１部分と第２部分とが携帯機器内に配置される。この場合、第１の筐体が第２の筐体に対して回動したとき、携帯機器が第１の筐体と第２の筐体との接続部分により折曲げられる。この折曲げられる部分を第１のフレキシブルプリント基板は通過する。第１のフレキシブルプリント基板の第１部分と第２部分は、配線が形成される第１の主表面と、配線が形成されない第２の主表面とを有するため、第１部分および第２部分のいずれも、一方の面のみに配線が形成される片面実装とされる。その結果、両面に配線が形成された場合に比べて優れた曲げ特性を有し、数多く曲げられたとしても、第１部分および第２部分に形成された配線が断線することがない。その結果信頼性の高い携帯機器を得ることができる。
【００１２】
さらに、第１部分と第２部分とが第１部分の第２の主表面と第２部分の第２の主表面とが互いに向かい合って接触する第１部分と第２部分とが携帯機器内に配置されるため、第１部分と第２部分が積層されて携帯機器内に配置される。この場合、第１部分と第２部分が積層されない場合に比べてフレキシブルプリント基板の配線の幅を小さくすることができ、携帯機器の小型化にさらに寄与することができる。
【００１３】
また好ましくは、カメラ部は第２のフレキシブルプリント基板に直接実装される。この場合、カメラ部を、熱容量の大きい硬質基板上に搭載する困難性を回避することができる。
【００１４】
好ましくは、第１と第２のフレキシブルプリント基板は、同一の絶縁性フィルムを含む。
【００１５】
【発明の実施の形態】
以下、この発明の実施の形態について図面を参照し説明する。ここでは撮影機能を有した携帯電話機を例示しているが、適用される機器はこれに限定されない。たとえば、デジタルカメラ、カメラ機能を有したＰＤＡ（Ｐｅｒｓｏｎａｌ  Ｄｉｇｉｔａｌ  Ａｓｓｉｓｔａｎｔｓ）などであってもよい。
【００１６】
図１は、本実施の形態に係るクラムシェルタイプのカメラ付の携帯電話機１を開いた状態での外観を示す斜視図である。図２は、図１に示された携帯電話機１の背面側からの外観を示す斜視図である。図３は、携帯電話機１を折畳んだ状態での外観を示す斜視図である。図４は、携帯電話機１を折畳んだ状態での外観を示す側面図である。
【００１７】
図１および図２を参照して、携帯電話機１は第１の筐体２と第２の筐体３からなり、第１の筐体２と第２の筐体３はヒンジ４を介して連結される。第１の筐体２と第２の筐体３は、ヒンジ４を軸として角変位自在に動くことで図３のように折畳み可能に構成されている。
【００１８】
図１に示す携帯電話機１は第１の筐体２に表示部５を備える。表示部５は携帯電話機１が折畳まれた時に内側に位置するように配置されている。表示部５は液晶ディスプレイやＥＬ（Ｅｌｅｃｔｒｏ  Ｌｕｍｉｎｅｓｃｅｎｔ）ディスプレイなどで構成され、表示ドライバ部を介して与えられる画像データに基づく画像を表示する。また、表示部５の上部には通話時などに使用するスピーカ６を備える。
【００１９】
第２の筐体３には、数字および文字を入力するためのキーなどから構成される入力ボタン群７、携帯電話機１における各種設定／機能切替を行うための機能ボタン群８、電源のＯＮ／ＯＦＦ切替を行う電源ボタン９、カメラ機能を能動化するために操作されるカメラボタン１０、後述するカメラ機能、メール機能とガイダンス表示を行うメール／ガイダンス用ボタン１１、通話開始とスピーカ受話を行う開始／スピーカ受話ボタン１２、および機能選択画面での上下左右選択と決定を行う４方向ボタンと決定ボタンで構成されるマルチガイドボタン１３が、ユーザの操作が可能なように備えられる。さらに、第２の筐体３は下部に通話用のマイク１４を備える。
【００２０】
携帯電話機１の第２の筐体３のこれらの配置は、ヒンジ４、機能ボタン群８、入力ボタン群７、マイク１４の順番に配置するのが普通であるが、これに限定されるものではない。
【００２１】
図３または図４に示すように、第１の筐体２の表示部５の背面は、ヒンジ４側から順番にカメラ部２１とライト部２２が並んで配置され、表示部２０、シャッタボタン２３および操作ボタン２４ａと２４ｂが続いて配置される。
【００２２】
表示部２０は携帯電話機１が折畳まれた時に筐体の外側に位置するように配置されて、液晶ディスプレイやＥＬディスプレイなどで構成される。ここでは表示部２０の表示可能領域は表示部５よりも小さいとしているが、大きくてもよく、また同じ大きさであってもよい。表示部２０には表示ドライバ部を介して与えられる撮影による画像データ、ならびに時刻、電波強度およびメール受信などを報知するためのキャラクタ画像のデータに基づく画像が表示される。
【００２３】
このように表示部５および表示部２０のそれぞれは、携帯電話機１が開いた状態において、携帯電話機１の外表面に位置するように設けられる。
【００２４】
カメラ部２１は撮影レンズ、ＣＣＤイメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮影素子およびＲＧＢの３色のカラーフィルタを備える。カメラ部２１は被写体で反射されて撮影レンズに入射した光を、カラーフィルタを通してＲＧＢの３色光に変換し、ＲＧＢの３色光はそれぞれＣＣＤに入射する。図２に示すようにカメラ部２１は携帯電話機１が折畳まれた時には表示部５の背面であって、かつヒンジ４と表示部２０との間に位置するように設けられる。ユーザは携帯電話機１を開いた状態でカメラ部２１により撮影する時には、第２の筐体３を持って撮影する。
【００２５】
ライト部２２は、カメラ部２１で撮影する際の補助光源として使われる。一般的に補助光源にはキセノン管を用いるものが多いが、最近ではＲＧＢのＬＥＤ（ｌｉｇｈｔ  Ｅｍｉｔｔｉｎｇ  Ｄｉｏｄｅ）が用いられる。これらＬＥＤを同時発光させて、白色光の照明を得ることができる。
【００２６】
シャッタボタン２３は、第１の筐体２の表示部５の背面中央に配置されて、かつ図３に示す携帯電話機１を折畳んだ状態では表示部２０の下側に位置する。この位置にシャッタボタン２３を配置することにより、ユーザは折畳んだ状態で簡単にシャッタボタン２３の位置を確認し、容易にシャッタ操作することができる。
【００２７】
シャッタボタン２３の両横には、表示部２０の表示情報を確認しながら各種のデータ設定または操作を行うための操作ボタン２４ａと２４ｂが設けられている。操作ボタン２４ａと２４ｂは、表示部２０における情報の表示と連動して、各種機能設定、アドレス帳の表示または検索、メールの確認、表示および発信などをするために操作される。また、操作ボタン２４ａと２４ｂを操作することにより撮影時のズームインまたはズームアウト動作や複数の画像を順送りしながらの表示または逆送りしながらの表示の動作などを行なわせることができる。
【００２８】
第２の筐体３の入力ボタン群７および機能ボタン群８の背面にはアンテナ部２５、昇降可能なヘリカル部２６、バッテリを格納するバッテリ部２７および着信音を鳴らすためのスピーカ２８が備えられる。
【００２９】
図３と図４を参照して、第１の筐体２はヒンジ４を通して第２の筐体３と機構的に接続されるが、ヒンジ４内には第１の筐体２と第２の筐体３を電気的に接続するための図示されない可撓性基板（フレキシブルプリント基板）が組み込まれている。
【００３０】
携帯電話機１のカメラ部２１を用いて被写体の撮影を行う場合の利用方法を、図５と図６を用いて説明する。図５に示す被写体３０を撮影する場合の一般的な利用方法では、ユーザは携帯電話機１を開き、カメラ部２１を被写体３０に向けて撮影してユーザは表示部５をファインダとして利用する。シャッタ操作のためにはカメラボタン１０を使用するが、第１の筐体２の背面に備えたシャッタボタン２３を使用することも可能である。
【００３１】
図６にはユーザがカメラ部２１を用いてユーザ自身を撮影する場合の一般的な利用方法が示される。この場合、ユーザは表示部２０をファインダとして利用することにより、撮影されたユーザ自身の画像を確認しながらシャッタボタン２３を押下することによりシャッタ操作することができる。
【００３２】
一般的な携帯電話機では、表示部２０で画像を表示する際には、画像確認時の違和感をなくすため、画像を左右反転させて鏡に映した像のように表示することが多いが、それに限定されるものではない。なお、携帯電話機１では、折畳んだ状態でユーザ自身を撮影できるので使い勝手が良い。なお、ユーザ自身の撮影は携帯電話機１を折畳んだ状態で使用する形態に限定されず、開いた状態で撮影することもできる。
【００３３】
図７は、この発明の実施の形態１に従った携帯電話機で用いられるフレキシブルプリント基板の平面図である。図７を参照して、この発明の実施の形態１に従った携帯機器で用いられるフレキシブルプリント基板３００は、第１のフレキシブルプリント基板３０１と、その第１のフレキシブルプリント基板３０１に接続される第２のフレキシブルプリント基板３０２とを有する。第１のフレキシブルプリント基板３０１は、１対の第１部分３０１ａおよび第２部分３０１ｂを有する。第１部分３０１ａ上には配線３１０が形成されおり、この配線３１０は、ボードｔｏボードコネクタとしてのコネクタ３０６と、第２の接続部としての端子３０３ａとを接続する。
【００３４】
第２部分３０１ｂにはコネクタ３０６が設けられる。第２部分３０１ｂ上の配線３１０は、コネクタ３０６と端子３０３ｂとを接続する。フレキシブルプリント基板３００を構成する第１のフレキシブルプリント基板３０１および第２のフレキシブルプリント基板３０２は、ともに、可撓性を有する絶縁性フィルム３５１と、その上にプリント配線技術によって形成された配線３１０とにより構成される。ベースとなる絶縁性フィルム３５１はポリエステルやポリイミドなどにより構成される。その上にスクリーン印刷法またはフォトレジスト法により配線３１０が形成される。なお、形成された配線上には、回路の保護、電気的絶縁、屈曲性の向上などを目的として別の絶縁フィルムが接着されている。端子３０３は、一方端部に設けられた端子３０３ａと他方端部に設けられた端子３０３ｂとにより構成される。
【００３５】
コネクタ３０６は第１のフレキシブルプリント基板３０１と液晶基板が搭載される第２の基板とを接続する。端子３０３ａおよび３０３ｂは、第１のフレキシブルプリント基板３０１と、電池および無線部などが搭載される第２の基板（メイン基板）に接続される。
【００３６】
第１のフレキシブルプリント基板３０１から枝分かれするように第２のフレキシブルプリント基板３０２が設けられる。第２のフレキシブルプリント基板３０２上にも配線３１０が形成されている。第２のフレキシブルプリント基板３０２には直接的にカメラ部２１が実装されている。第１のフレキシブルプリント基板３０１は点線で示す折曲げ線３０４で折曲げられる。第２のフレキシブルプリント基板３０２は点線で示す折曲げ線３０５および３０７で折曲げられる。
【００３７】
第１のフレキシブルプリント基板３０１と第２のフレキシブルプリント基板３０２とは電気的に接続されている。この実施の形態では、第１および第２のフレキシブルプリント基板３０１および３０２は物理的に接続されているが、これに限られるものではなく、第１のフレキシブルプリント基板３０１と第２のフレキシブルプリント基板３０２とは、一体化されていなくても、配線で接続されていればよい。
【００３８】
第１および第２のフレキシブルプリント基板３０１および３０２は、Ｙ字状、またはＴ字状となってフレキシブルプリント基板３００を構成している。第１のフレキシブルプリント基板３０１から枝分かれするように第２のフレキシブルプリント基板３０２が延在している。一枚のフレキシブルプリント基板３００のある部分が第１のフレキシブルプリント基板３０１であり、他の部分が第２のフレキシブルプリント基板３０２である。
【００３９】
図７のように、フレキシブルプリント基板３００の一方の面にだけ部品を配置しているため、実装時にフレキシブルプリント基板３００を反転させてフレキシブルプリント基板３００の両面に部品を半田付等で取りつける必要がなく、製造工程を削減できる。また、フレキシブルプリント基板３００を筐体内に取りつけるときには、フレキシブルプリント基板３００を１ヶ所以上の部位で折り曲げて装着している。
【００４０】
図８は、図７中のＶＩＩＩ−ＶＩＩＩ線に沿った断面図である。図８を参照して、第１部分３０１ａおよび第２部分３０１ｂは、絶縁性フィルム３５１を有する。絶縁性フィルム３５１は、配線３１０が形成される第１の主表面３５１ａと、配線３１０が形成されない第２の主表面３５１ｂとを有する。第１の主表面３５１ａの反対側に第２の主表面３５１ｂが位置している。
【００４１】
図９は、折畳まれたフレキシブルプリント基板を示す平面図である。図９を参照して、フレキシブルプリント基板３００は、図７で示す折曲げ線３０４および３０５および３０７で折曲げられる。これにより、第１部分３０１ａと第２部分３０１ｂとは重ねられる。なお、図９では、第１部分３０１ａと第２部分３０１ｂとがずれて重ね合わせられているが、第１部分３０１ａと第２部分３０１ｂとの配置はこれに限られるものではなく、第１部分３０１ａと第２の部分３０１ｂとがぴったりと重なり合うように折曲げられてもよい。
【００４２】
図１０は、図９中のＸ−Ｘ線に沿った断面図である。図１０を参照して、第１部分３０１ａの第２の主表面３５１ｂと、第２部分３０１ｂの第２の主表面３５１ｂとが向かい合うように第１部分３０１ａと第２部分３０１ｂとが重ね合わされる。このように、第１部分３０１ａおよび第２部分３０１ｂともに片方の主表面にのみ配線３１０が実装されているのは、第１部分３０１ａおよび第２部分３０１ｂとも携帯電話機のヒンジ部分を通過して折曲げられるため、この折曲げ耐性を向上させるためである。また、第１部分３０１ａと第２部分３０１ｂとを重ね合わせているのは、このように第１部分３０１ａおよび第２部分３０１ｂを重ね合わせないとすると、第１部分３０１ａと第２部分３０１ｂが並べて配置されることになる。この場合には、第１部分３０１ａおよび第２部分３０１ｂの両方の幅が大きくなりすぎて携帯電話機を小型化することができないためである。
【００４３】
図１１は、折畳まれたフレキシブルプリント基板の斜視図である。図１２は、携帯電話機内に配置されたフレキシブルプリント基板を示す平面図である。図１１および図１２を参照して、この発明の実施の形態１に従った携帯電話機１は、第１の筐体２と、第１の筐体２内に収納される第１の基板１０１と、第１の筐体２に回動可能に取付けられた第２の筐体３と、第２の筐体３内に収納される第２の基板１５１と、第１の基板１０１と第２の基板１５１とを接続する第１のフレキシブルプリント基板３０１と、第１の筐体２に設けられたカメラ部２１と、第１のフレキシブルプリント基板３０１とカメラ部２１とを接続する第２のフレキシブルプリント基板３０２とを備える。
【００４４】
携帯電話機１は、さらに、第１のフレキシブルプリント基板３０１に設けられて第１の基板１０１に接続される第１の接続部としてのコネクタ３０６と、第１のフレキシブルプリント基板３０１に設けられ第２の基板１５１に接続される第２の接続部としての端子３０３ａおよび３０３ｂとをさらに備える。
【００４５】
第１のフレキシブルプリント基板３０１は、第１の筐体２と第２の筐体３との接続部分を通過する。第１のフレキシブルプリント基板３０１は、第１の基板１０１と第２の基板１５１とを接続する第１部分３０１ａと第２部分３０１ｂとを含む。第１部分３０１ａと第２部分３０１ｂとは、配線が形成される第１の主表面３５１ａと、配線が形成されない第２の主表面３５１ｂとを有する（図１０参照）。第１部分３０１ａの第２の主表面３５１ｂと第２部分３０１ｂの第２の主表面３５１ｂとが互いに向かい合って接触するように第１部分３０１ａと第２部分３０１ｂとが携帯電話機１内に配置される。
【００４６】
カメラ部２１は第２のフレキシブルプリント基板３０２に直接実装される。
図１３は、図１２中のＸＩＩＩ―ＸＩＩＩ線に沿った断面図である。図１３を参照して、第２の基板１５１の一方の面に第１のコネクタ１５１ａが設けられ、他方の面に第２のコネクタ１５１ｂが設けられている。第１のコネクタ１５１ａに端子３０３ａが取り付けられ、第２のコネクタ１５１ｂに端子３０３ｂが取り付けられる。端子３０３ａおよび３０３ｂでは、第１および第２のコネクタ１５１ａおよび１５１ｂと嵌合する部分に補強板が貼り付けられており、接点部がめっき加工されている。
【００４７】
図１４は、図１２中のＸＩＶ―ＸＩＶ線に沿った断面図である。図１４を参照して、第１の基板１０１にはコネクタ１０１ａが設けられている。第１の基板１０１側のコネクタ１０１ａには、コネクタ３０６が接続されている。コネクタ１０１ａが受け側のレセプタクルであり、コネクタ３０６がピン側のヘッダである。第１部分３０１ａ上にはレセプタクル側がリフロー半田付によりマウントされ、対をなすヘッダ側は第１の筐体２の第１の基板１０１にリフロー半田付によりマウントされている。
【００４８】
図１５は、図７中のＸＶ−ＸＶ線に沿った断面図である。図１５を参照して、第２のフレキシブルプリント基板３０２では、絶縁性フィルム３５１の第１および第２の主表面３５１ａおよび３５１ｂの両面に配線３１０が形成されている。
【００４９】
図１６は、フレキシブルプリント基板の配線を詳細に示す図である。図１６を参照して、フレキシブルプリント基板３００を構成する第１と第２のフレキシブルプリント基板３０１および３０２は、第１の基板１０１と第２の基板１５１とを接続する第１の配線３１１ａおよび３１１ｂと、第１の基板１０１とカメラ部２１とを接続する第２の配線３１２ａと、第２の基板１５１とカメラ部２１とを接続する第３の配線３１３ａおよび３１３ｂと、第１の基板１０１と第２の基板１５１とカメラ部２１とを接続する第４の配線３１４ａおよび３１４ｂとを含む。配線３１０は、第１から第４の配線３１１ａから３１４ｂにより構成される。第１の配線３１１ａおよび３１１ｂには、第１および第２の基板１０１および１５１間の信号が伝達される。第２の配線は複数本からなり、カメラ部に制御信号を伝達するコントロール信号線、カメラ部に電源を供給する電源線等が含まれる。また、第３の配線３１３ａおよび３１３ｂもそれぞれ複数本からなり、カメラ部に制御信号を伝達するコントロール信号線、カメラ部に電源を供給する電源線等が含まれる。第４の配線３１４ｂはアドレスバスであり、アドレスバス信号が伝達される。第４の配線３１４ａはデータバスであり、データバス信号が伝達される。なお、図１６の配線は一例であり、その他のさまざまな配線を採用することも可能である。
【００５０】
カメラのシャッタボタンが押されると、ＣＰＵ（中央演算ユニット）からの命令で、コントロール信号を介してカメラ部２１で撮影され、その撮影された画像データはデータバスである第４の配線３１４ａで伝達される。第１の基板１０１に伝達された画像データはＬＣＤに表示され、第２の基板１５１に伝達された画像データはメモリに保存される。カメラ部２１にはメモリが無いため、このようにデータバスを介して第２の基板１５１に画像データが伝達されて保存されるが、メモリを備える場合には、そこに保存してもよい。
【００５１】
このように構成された、本発明に従った携帯機器では、図１６で示すようにカメラ部２１から第１の基板（ＬＣＤ基板）１０１へ送られる信号は第２の配線３１２ａを通過する。またメイン基板である第２の基板１５１へカメラ部２１から送られる信号は第３の配線３１３ａおよび３１３ｂを通過する。そのため、カメラ部で得られた信号を一旦コネクタを経由してから２つの基板に分配する場合に比べてコネクタのピンの数を減らすことができる。その結果コネクタを小型化でき、携帯電話機の小型化および低コスト化を図ることができる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５３】
【発明の効果】
この発明に従えば、小型化および低コスト化が可能な携帯機器を提供することができる。
【図面の簡単な説明】
【図１】本実施の形態に係るクラムシェルタイプのカメラ付の携帯電話機１を開いた状態での外観を示す斜視図である。
【図２】図１に示された携帯電話機１の背面側からの外観を示す斜視図である。
【図３】携帯電話機１を折畳んだ状態での外観を示す斜視図である。
【図４】携帯電話機１を折畳んだ状態での外観を示す側面図である。
【図５】携帯電話機１のカメラ部２１を用いて被写体の撮影を行なう場合の利用方法を示す図である。
【図６】携帯電話機１のカメラ部２１を用いて被写体の撮影を行なう場合の利用方法を示す図である。
【図７】この発明の実施の形態１に従った携帯電話機で用いられるフレキシブルプリント基板の平面図である。
【図８】図７中のＶＩＩＩ−ＶＩＩＩ線に沿った断面図である。
【図９】折畳まれたフレキシブルプリント基板を示す平面図である。
【図１０】図９中のＸ−Ｘ線に沿った断面図である。
【図１１】折畳まれたフレキシブルプリント基板の斜視図である。
【図１２】携帯電話機内に配置されたフレキシブルプリント基板を示す平面図である。
【図１３】図１２中のＸＩＩＩ―ＸＩＩＩ線に沿った断面図である。
【図１４】図１２中のＸＩＶ―ＸＩＶ線に沿った断面図である。
【図１５】図７中のＸＶ−ＸＶ線に沿った断面図である。
【図１６】フレキシブルプリント基板の配線を詳細に示す図である。
【符号の説明】
１  携帯電話機、２  第１の筐体、３  第２の筐体、２０  表示部、２１  カメラ部、１０１  第１の基板、１０２  空間、１２５  支持部、１２５ａ  リブ状部分、１５１  第２の基板、３０１  第１のフレキシブルプリント基板、３０１ａ  第１部分、３０１ｂ  第２部分、３０２  第２のフレキシブルプリント基板、３０３ａ，３０３ｂ  端子、３０６  コネクタ、３１０  配線、３１１  第１の配線、３１２  第２の配線、３１３  第３の配線、３１４  第４の配線、３５１ａ  第１の主表面、３５１ｂ  第２の主表面。
【図１】
2004153670.tif 000003
【図２】
2004153670.tif 000004
【図３】
2004153670.tif 000005
【図４】
2004153670.tif 000006
【図５】
2004153670.tif 000007
【図６】
2004153670.tif 000008
【図７】
2004153670.tif 000009
【図８】
2004153670.tif 000010
【図９】
2004153670.tif 000011
【図１０】
2004153670.tif 000012
【図１１】
2004153670.tif 000013
【図１２】
2004153670.tif 000014
【図１３】
2004153670.tif 000015
【図１４】
2004153670.tif 000016
【図１５】
2004153670.tif 000017
【図１６】
2004153670.tif 000018